(57)【要約】【課題】小型化を図ることができるとともに物品間を確実に防水できるパッキンとパッキンを備えたコネクタを提供する。【解決手段】コネクタ２はコネクタハウジング３と端子金具とパッキン１を備えている。コネクタハウジング３は端子金具を収容し相手側のコネクタハウジングと嵌合する。パッキン１は物品としてのコネクタハウジング３と物品としての相手側のコネクタハウジングとの間を水密に保つ。パッキン１は中実環状のパッキン本体１３とパッキン本体１３の外内縁から突出した外内側突出片１４，１５と孔１６と係止爪１７を備えている。パッキン本体１３の厚みは幅より大きい。孔１６は内側突出片１５に設けられ内側にコネクタハウジング３の突出ピン１１が侵入する。係止爪１７は外側突出片１４に設けられコネクタハウジング３の係止受け孔１０に係止する。【選択図】      図２
2004327169.tif 000002
【特許請求の範囲】
【請求項１】
第１の物品と第２の物品との間に設けられ、これらの物品間を水密に保つパッキンにおいて、
第１の物品と第２の物品とが相対する方向の厚みが第１の物品と第２の物品とが相対する方向に交差する方向の幅より大きく形成された中実環状のパッキン本体と、
前記パッキン本体の厚みを二分する位置から突出した突出片と、
前記突出片に設けられかつ前記第１の物品に固定される固定部と、を備えたことを特徴とするパッキン。
【請求項２】
前記突出片として、前記パッキン本体の内縁からこのパッキン本体の内側に突出した内側突出片を備えたことを特徴とする請求項１記載のパッキン。
【請求項３】
前記突出片として、前記パッキン本体の外縁からこのパッキン本体の外側に突出した外側突出片を備えたことを特徴とする請求項１または請求項２記載のパッキン。
【請求項４】
前記固定部として前記突出片を貫通した孔を備え、該孔内に前記第１の物品から突出した突出ピンが侵入することで、前記第１の物品に固定することを特徴とする請求項１ないし請求項３のうちいずれか一項に記載のパッキン。
【請求項５】
前記固定部として前記突出片から第１の物品に向かって突出した係止爪を備え、該係止爪が前記第１の物品に設けられた係止受け孔に係止することで、前記第１の物品に固定することを特徴とする請求項１ないし請求項３のうちいずれか一項に記載のパッキン。
【請求項６】
前記第１の物品と相対しかつ該第１の物品と接触する第１の接触箇所と、
前記第２の物品と相対しかつ該第２の物品と接触する第２の接触箇所と、を備え、
前記第１の接触箇所と第２の接触箇所とのうち一方の表面は、前記第１の物品と第２の物品のうち一方の表面に沿って平坦に形成され、
前記第１の接触箇所と第２の接触箇所とのうち他方は、前記第１の物品と第２の物品のうち他方に向かうにしたがって徐々に先細に形成されていることを特徴とする請求項１ないし請求項５のうちいずれか一項に記載のパッキン。
【請求項７】
前記第２の物品としての相手側のコネクタハウジングと嵌合する第１の物品としてのコネクタハウジングと、
請求項１ないし請求項６のうちいずれか一項に記載のパッキンと、を備えたことを特徴とするコネクタ。
【発明の詳細な説明】
【０００１】
【発明の属する技術分野】
本発明は、電線の接続等に使用されるコネクタなどの物品間を水密に保つパッキンとこのパッキンを備えたコネクタに関する。
【０００２】
【従来の技術】
移動体としての自動車には、種々の電子機器が搭載される。このため、前記自動車は、前述した電子機器に信号や電力を供給するためにワイヤハーネスを配索している。ワイヤハーネスは、複数の電線と、電線に取り付けられるコネクタとを備えている。
【０００３】
コネクタは、電線と接続する端子金具と、この端子金具を収容するコネクタハウジングとを備えている。ワイヤハーネスは、コネクタハウジング同士が嵌合して、端子金具同士が接続して、前述した各種の電子機器に所定の信号や電力を供給する。
【０００４】
前述したコネクタとして、例えば、図１２に示すように、パッキン１０１などを備えてハウジング１０２，１０３間を防水するもの（例えば、特許文献１参照）が用いられることがある。パッキン１０１は、弾性材料としてのゴムなどからなり、中実環状に形成されている。
【０００５】
第１の物品としての一方のコネクタハウジング１０２には、図１２（ａ）に示すように、前記パッキン１０１を収容する凹溝１０４が形成されている。パッキン１０１は、凹溝１０４内に収容されて、一方のコネクタハウジング１０２に第２の物品としての他方のコネクタハウジング１０３が嵌合すると、図１２（ｂ）に示すように、この他方のコネクタハウジング１０３の外面に潰されて弾性変形する。そして、パッキン１０１は、凹溝１０４の内面即ち一方のコネクタハウジング１０２と他方のコネクタハウジング１０３との間を水密にする（シールするまたは防水するともいう）。
【０００６】
【特許文献１】
特開２００２−１５１１８９号公報
【０００７】
【発明が解決しようとする課題】
前述したパッキン１０１には、前述したコネクタハウジング１０２，１０３などの物品間を確実に防水できることが望まれている。物品間を確実に防水するためには、前記パッキン１０１は、物品間を防水する際に、所定の距離潰されて弾性変形する必要がある。
【０００８】
一方、前述した公報に記載されたコネクタ同士の防水に用いられるパッキン１０１では、その弾性変形していない初期状態において、断面丸状に形成されている。このため、所定の距離潰されて弾性変形すると、前述したパッキン１０１は、幅が大きくなる。このため、前述した凹溝１０４の幅を大きくする必要があった。即ち、コネクタハウジング１０２が大型化する傾向であった。しかしながら、前述したコネクタには、勿論、小型化が求められている。
【０００９】
このため、前述したパッキン１０１も、勿論、小型であることが求められている。このため、パッキン１０１は、その弾性変形していない初期状態において、図１３（ａ）に示すように、幅を厚みより小さくすることが考えられる。そして、一方のコネクタハウジング１０２に設けられる凹溝１０４の幅を細くして、パッキン１０１に物品間を防水できる程度の弾性変形量を確保しつつコネクタハウジング１０２の小型化を図ることが考えられる。
【００１０】
この場合、幅が厚みより小さい（細い）ので、物品を互いに近づけて、パッキン１０１がその厚み方向に沿って潰される際に、図１３（ｂ）中の二点鎖線で示すように、倒れる虞がある。パッキン１０１が倒れると、勿論、パッキン１０１と物品との接触面圧を保てなくなって、パッキン１０１が物品間を確実に防水できなくなる。
【００１１】
したがって、本発明の目的は、小型化を図ることができるとともに物品間を確実に防水できるパッキンと、小型化を図ることができるとともにコネクタハウジングと相手側のコネクタハウジングとの間を確実に防水できるパッキンを備えたコネクタを提供することにある。
【００１２】
【課題を解決するための手段】
前述した課題を解決し目的を達成するために、請求項１に記載の本発明のパッキンは、第１の物品と第２の物品との間に設けられ、これらの物品間を水密に保つパッキンにおいて、第１の物品と第２の物品とが相対する方向の厚みが第１の物品と第２の物品とが相対する方向に交差する方向の幅より大きく形成された中実環状のパッキン本体と、前記パッキン本体の厚みを二分する位置から突出した突出片と、前記突出片に設けられかつ前記第１の物品に固定される固定部とを備えたことを特徴としている。
【００１３】
請求項２に記載の本発明のパッキンは、請求項１に記載のパッキンにおいて、前記突出片として、前記パッキン本体の内縁からこのパッキン本体の内側に突出した内側突出片を備えたことを特徴としている。
【００１４】
請求項３に記載の本発明のパッキンは、請求項１または請求項２に記載のパッキンにおいて、前記突出片として、前記パッキン本体の外縁からこのパッキン本体の外側に突出した外側突出片を備えたことを特徴としている。
【００１５】
請求項４に記載の本発明のパッキンは、請求項１ないし請求項３のうちいずれか一項に記載のパッキンにおいて、前記固定部として前記突出片を貫通した孔を備え、該孔内に前記第１の物品から突出した突出ピンが侵入することで、前記第１の物品に固定することを特徴としている。
【００１６】
請求項５に記載の本発明のパッキンは、請求項１ないし請求項３のうちいずれか一項に記載のパッキンにおいて、前記固定部として前記突出片から第１の物品に向かって突出した係止爪を備え、該係止爪が前記第１の物品に設けられた係止受け孔に係止することで、前記第１の物品に固定することを特徴としている。
【００１７】
請求項６に記載の本発明のパッキンは、請求項１ないし請求項５のうちいずれか一項に記載のパッキンにおいて、前記第１の物品と相対しかつ該第１の物品と接触する第１の接触箇所と、前記第２の物品と相対しかつ該第２の物品と接触する第２の接触箇所と、を備え、前記第１の接触箇所と第２の接触箇所とのうち一方の表面は、前記第１の物品と第２の物品のうち一方の表面に沿って平坦に形成され、前記第１の接触箇所と第２の接触箇所とのうち他方は、前記第１の物品と第２の物品のうち他方に向かうにしたがって徐々に先細に形成されていることを特徴としている。
【００１８】
請求項７に記載の本発明のコネクタは、前記第２の物品としての相手側のコネクタハウジングと嵌合する第１の物品としてのコネクタハウジングと、請求項１ないし請求項６のうちいずれか一項に記載のパッキンと、を備えたことを特徴としている。
【００１９】
請求項１に記載した本発明のパッキンによれば、パッキン本体の厚みを二分する位置から突出した突出片に、第１の物品に固定される固定部が設けられている。このため、固定部が第１の物品に固定されて、パッキン本体が倒れようとすると、パッキン本体と突出片との間に伸びる方向または縮小する方向の弾性復元力が発生する。
【００２０】
請求項２に記載した本発明のパッキンによれば、パッキンの内縁から突出した内側突出片を備えている。このため、固定部が第１の物品に固定されると、パッキン本体が倒れようとすると、パッキン本体と内側突出片との間に伸びる方向または縮小する方向の弾性復元力が発生する。
【００２１】
請求項３に記載した本発明のパッキンによれば、パッキンの外縁から突出した外側突出片を備えている。このため、固定部が第１の物品に固定されると、パッキン本体が倒れようとすると、パッキン本体と外側突出片との間に伸びる方向または縮小する方向の弾性復元力が発生する。
【００２２】
請求項４に記載した本発明のパッキンによれば、突出片を貫通した孔内に第１の物品から突出した突出ピンが侵入する。このため、固定部は、突出片と第１の物品とを確実に固定できる。
【００２３】
請求項５に記載した本発明のパッキンによれば、突出片から第１の物品に向かって突出した係止爪が第１の物品に設けられた孔内に係止する。このため、固定部は、突出片と第１の物品とを確実に固定できる。
【００２４】
請求項６に記載した本発明のパッキンによれば、第１の接触箇所と第２の接触箇所のうち一方が第１の物品と第２の物品のうち一方の表面に沿って形成され、他方の接触箇所が他方の表面に向かうにしたがって徐々に先細に形成されている。このため、一方の接触箇所が一方の表面に沿うとともに、他方の接触箇所が他方の表面に潰される方向に弾性変形する。
【００２５】
請求項７に記載した本発明のコネクタによれば、パッキン本体の厚みを二分する位置から突出した突出片にコネクタハウジングに固定される固定部を設けたパッキンを備えている。このため、パッキンの固定部をコネクタハウジングに固定して、コネクタハウジングが相手側のコネクタハウジングと嵌合する際に、パッキン本体が相手側のコネクタハウジングにより押されて倒れようとすると、パッキン本体と突出片との間に伸びる方向または縮小する方向の弾性復元力が発生する。
【００２６】
【発明の実施の形態】
本発明の一実施形態を図１ないし図１１を参照して説明する。図１及び図２などに示す本発明の一実施形態にかかるパッキン１は、コネクタ２を構成する。コネクタ２は、図１及び図２に示すように、第１の物品としてのコネクタハウジング３と、複数の端子金具４（図３及び図５に示す）と、パッキン１とを備えている。
【００２７】
コネクタハウジング３は、合成樹脂からなる。コネクタハウジング３は、図５に示すように、電気自動車、ハイブリット車や燃料電池車などに搭載されるインバータなどの電子機器５のケース５ａなどに取り付けられる。コネクタハウジング３には、第２の物品としての相手側のコネクタハウジング６が嵌合する。
【００２８】
コネクタハウジング３は、図１ないし図５に示すように、端子金具４を収容する複数の筒部７と、これら筒部７を互いに連結しかつ筒部７の外面から外方向に突出したフランジ部８とを備えている。フランジ部８は、コネクタハウジング３が相手側のコネクタハウジング６と嵌合すると、この相手側のコネクタハウジング６の外表面６ａ（図５に示す）に重なる。
【００２９】
フランジ部８には、凹溝９（図１ないし図５に示す）と、係止受け孔１０（図３及び図５に示す）と、突出ピン１１（図１、図２及び図４に示す）が設けられている。凹溝９は、フランジ部８の相手側のコネクタハウジング６と相対する表面８ａから凹に形成されている。凹溝９は、複数の筒部７を包囲している。凹溝９は、コネクタハウジング３の全周に亘って設けられている。
【００３０】
係止受け孔１０は、コネクタハウジング３の幅方向の両縁に設けられている。係止受け孔１０は、フランジ部８を貫通している。係止受け孔１０は、凹溝９より筒部７即ちコネクタハウジング３の外側に設けられている。
【００３１】
突出ピン１１は、互いに隣り合う筒部７間に設けられている。突出ピン１１は、フランジ部８の相手側のコネクタハウジング６と相対する表面８ａから前記相手側のコネクタハウジング６に向かって突出している。突出ピン１１は、凹溝９より筒部７即ちコネクタハウジング３の内側に設けられている。
【００３２】
端子金具４は、導電性の板金からなりコネクタハウジング３の筒部７内に収容される。端子金具４には、前述した電子機器５のケース５ａ内に収容されたバスバなどが電気的に接続している。また、端子金具４には、コネクタハウジング３に嵌合した相手側のコネクタハウジング６内に収容された相手側の端子金具１２（図５に示す）と接続する。
【００３３】
パッキン１は、ゴムなどの弾性変形自在な弾性材料からなる。パッキン１は、図２に示すように、中実環状のパッキン本体１３と、突出片としての外側突出片１４と、突出片としての内側突出片１５と、固定部としての孔１６と、固定部としての係止爪１７とを一体に備えている。
【００３４】
パッキン本体１３は、輪状に形成されている。パッキン本体１３は、図１、図３ないし図５に示すように、凹溝９内に収容される。パッキン本体１３が凹溝９内に収容された状態で、このパッキン本体１３の互いに嵌合するコネクタハウジング３と相手側のコネクタハウジング６とが相対する方向（図３中などに矢印Ｇで示す）の厚みＴ（図８及び図９に示す）は、前記矢印Ｇに直交（交差）する方向の幅Ｗ（図８及び図９に示す）より大きく形成されている。
【００３５】
なお、厚みＴとは、パッキン本体１３が凹溝９内に収容された格好で、フランジ部８と相手側のコネクタハウジング６とが重なる方向即ちフランジ部８の表面８ａとこのフランジ部８に重なる相手側のコネクタハウジング６の外表面６ａとの双方に直交（交差）する方向のパッキン本体１３の寸法を示している。また、厚みＴは、パッキン本体１３が凹溝９内に収容された格好で、互いに嵌合するコネクタハウジング３と相手側のコネクタハウジング６とが互いに近づく方向のパッキン本体１３の寸法を示している。さらに、厚みＴは、前述した凹溝９の深さより大きい。
【００３６】
また、幅Ｗとは、パッキン本体１３が凹溝９内に収容された格好で、フランジ部８と相手側のコネクタハウジング６とが重なる方向に直交する方向即ちフランジ部８の表面８ａとこのフランジ部８に重なる相手側のコネクタハウジング６の外表面６ａとの双方に沿う方向のパッキン本体１３の寸法を示している。また、幅Ｗは、パッキン本体１３が凹溝９内に収容された格好で、互いに嵌合するコネクタハウジング３と相手側のコネクタハウジング６とが互いに近づく方向に対し直交する方向のパッキン本体１３の寸法を示している。さらに、幅Ｗは、パッキン本体１３の径方向の寸法を示している。
【００３７】
さらに、パッキン本体１３には、図６及び図７に示すように、凹溝９内に収容された状態で、全周に亘って、凹溝９の底面９ａと接触する第１の接触箇所１８と、コネクタハウジング３に嵌合する相手側のコネクタハウジング６の外表面６ａと接触する第２の接触箇所１９とが設けられている。第１の接触箇所１８は、凹溝９の底面９ａと相対することでコネクタハウジング３と相対し、凹溝９の底面９ａに接触することでコネクタハウジング３に接触する。第１の接触箇所１８の表面は、凹溝９の底面９ａ即ちコネクタハウジング３の表面に沿って略平坦に形成されている。
【００３８】
第２の接触箇所１９は、相手側のコネクタハウジング６の外表面６ａと相対することでこの相手側コネクタハウジング６と相対し、相手側のコネクタハウジング６の外表面６ａに接触することで相手側のコネクタハウジング６に接触する。第２の接触箇所１９は、相手側のコネクタハウジング６の外表面６ａ即ち相手側のコネクタハウジング６に向かうにしたがって徐々に先細に形成されている。
【００３９】
パッキン本体１３は、第１の接触箇所１８が凹溝９の底面９ａに接触し、第２の接触箇所１９が外表面６ａにより潰される状態に弾性変形して、コネクタハウジング３と相手側のコネクタハウジング６との間に設けられる。そして、パッキン１は、凹溝９の底面９ａ即ちコネクタハウジング３と外表面６ａ即ち相手側のコネクタハウジング６との間を水密に保つ。
【００４０】
外側突出片１４は、図１、図２、図３及び図６に示すように、パッキン本体１３の幅方向の両縁に設けられている。外側突出片１４は、パッキン本体１３の外縁からこのパッキン本体１３の外側に向かって突出している。外側突出片１４は、図８に示すように。パッキン本体１３の厚みＴを二分する位置Ｐ１から突出している。なお、図示例では、位置Ｐ１は、パッキン本体１３の厚みＴを二等分している。
【００４１】
即ち、外側突出片１４は、パッキン本体１３の厚みＴを二等分する位置Ｐ１から突出しても良い。外側突出片１４は、パッキン本体１３が凹溝９内に収容されると、係止受け孔１０上に重なる。外側突出片１４は、係止受け孔１０と同数設けられている。
【００４２】
内側突出片１５は、図１、図２、図４及び図７に示すように、パッキン本体１３の内縁からこのパッキン本体１３の内側に向かって突出している。内側突出片１５は、図９に示すように、パッキン本体１３の厚みＴを二分する位置Ｐ２から突出している。なお、図示例では、位置Ｐ２は、パッキン本体１３の厚みＴを二等分している。
【００４３】
即ち、内側突出片１５は、パッキン本体１３の厚みＴを二等分する位置Ｐ２から突出しても良い。また、内側突出片１５は、パッキン本体１３が凹溝９内に収容されると、突出ピン１１上に重なる位置に設けられている。内側突出片１５は、突出ピン１１と同数設けられている。
【００４４】
孔１６は、図１、図２、図４、図７及び図９に示すように、内側突出片１５それぞれに設けられている。孔１６は、内側突出片１５を貫通している。孔１６には、コネクタハウジング３のフランジ部８から突出した突出ピン１１が侵入する。孔１６は、内側に突出ピン１１が侵入することで、パッキン本体１３即ちパッキン１を凹溝９内即ちコネクタハウジング３に固定する。
【００４５】
係止爪１７は、図２、図３、図５、図６及び図８に示すように、外側突出片１４それぞれに設けられている。係止爪１７は、外側突出片１４からコネクタハウジング３に向かって突出している。係止爪１７は、係止受け孔１０内に圧入されることで、この係止受け孔１０に係止する。係止爪１７は、係止受け孔１０に係止することで、パッキン本体１３即ちパッキン１を、凹溝９内即ちコネクタハウジング３に固定する。
【００４６】
前述した構成のパッキン１は、第１の接触箇所１８が凹溝９の底面９ａに相対する状態に位置付けられた後、この第１の接触箇所１８から凹溝９内に挿入される。そして、係止爪１７が係止受け孔１０内に圧入されて、係止爪１７が係止受け孔１０に係止し、孔１６内に突出ピン１１が侵入する。こうして、パッキン１は、凹溝９即ちコネクタハウジング３に取り付けられる。
【００４７】
そして、パッキン１が取り付けられたコネクタハウジング３即ちコネクタ２は、相手側のコネクタハウジング６と嵌合する。すると、相手側のコネクタハウジング６の外表面６ａが、図１０及び図１１に示すように、パッキン１の第２の接触箇所１９に接触する。パッキン本体１３即ちパッキン１の弾性復元力に抗して、コネクタハウジング３と相手側のコネクタハウジング６とを互いに近づける。
【００４８】
すると、例えば、相手側のコネクタハウジング６により、第２の接触箇所１９は、図１０中の矢印Ｈ１や図１１中の矢印Ｊ１に沿って曲げられそうになる。即ち、第２の接触箇所１９は、第１の接触箇所１８を中心として、矢印Ｈ１，Ｊ１に沿って、パッキン本体１３の内側に倒されそうになる。
【００４９】
すると、係止爪１７が係止受け孔１０に係止し、孔１６内に突出ピン１１が侵入して外内側突出片１４，１５がコネクタハウジング３に固定されている。これにより、パッキン１は、前記矢印Ｈ１，Ｊ１の逆向きの図１０及び図１１中に示す矢印Ｈ２，Ｊ２に沿う弾性復元力を生じることになる。そして、パッキン本体１３は、第１の接触箇所１８を中心として、矢印Ｈ１，Ｊ１に沿って倒されることが防止される。
【００５０】
そして、コネクタハウジング３と相手側のコネクタハウジング６とが嵌合する。第１の接触箇所１８が凹溝９の底面９ａに接触し、主に第２の接触箇所１９がつぶれる方向に弾性変形して、パッキン１は、コネクタハウジング３のフランジ部８と相手側のコネクタハウジング６との間を水密に保つ。
【００５１】
また、相手側のコネクタハウジング６により、第２の接触箇所１９は、図１０中の矢印Ｈ２や図１１中の矢印Ｊ２に沿って曲げられそうになることもある。即ち、第２の接触箇所１９は、第１の接触箇所１８を中心として、矢印Ｈ２，Ｊ２に沿って、パッキン本体１３の外側に倒されそうになる。
【００５２】
すると、係止爪１７が係止受け孔１０に係止し、孔１６内に突出ピン１１が侵入して外内側突出片１４，１５がコネクタハウジング３に固定されている。これにより、パッキン１は、前記矢印Ｈ２，Ｊ２の逆向きの矢印Ｈ１，Ｊ１に沿う弾性復元力を生じる。そして、パッキン本体１３は、第１の接触箇所１８を中心として、矢印Ｈ２，Ｊ２に沿って倒されることが防止される。
【００５３】
このように、外内側突出片１４，１５が突支（つっかい）棒または引っ張り棒の作用を生じて、パッキン１は、パッキン本体１３が第１の接触箇所１８を中心として倒れることを防止できる。
【００５４】
本実施形態によれば、パッキン本体１３の厚みＴを二分する位置Ｐ１，Ｐ２から突出した突出片１４，１５に、コネクタハウジング３に固定される固定部としての係止爪１７と孔１６とを設けている。このため、固定部として係止爪１７と孔１６とがコネクタハウジング３に固定されて、パッキン本体１３が倒れようとすると、矢印Ｈ１，Ｈ２，Ｊ１，Ｊ２に沿うパッキン本体１３と突出片１４，１５との間に伸びる方向または縮小する方向の弾性復元力が発生する。
【００５５】
これにより、固定部として係止爪１７と孔１６とがコネクタハウジング３に固定されると、相手側のコネクタハウジング６などから押されて倒れようとしても、この相手側のコネクタハウジング６から押される方向とは逆向きの弾性復元力を生じる。したがって、パッキン本体１３がコネクタハウジング３と相手側のコネクタハウジング６との間で倒れることが防止され、パッキン１は、コネクタハウジング３と相手側のコネクタハウジング６との間を確実に防水できる。
【００５６】
また、パッキン本体１３の幅Ｗが厚みＴより小さい（細い）ので、パッキン１自体の小型化を図ることにくわえ、凹溝９の幅を小さくできる。したがって、コネクタハウジング３の小型化を図ることができる。
【００５７】
パッキン１は、パッキン本体１３の内縁から突出した内側突出片１５を備えている。内側突出片１５を貫通した孔１６内にコネクタハウジング３から突出した突出ピン１１が侵入する。このため、孔１６は、内側突出片１５とコネクタハウジング３とを確実に固定できる。
【００５８】
パッキン１は、パッキン本体１３の外縁から突出した外側突出片１４を備えている。外側突出片１４からコネクタハウジング３に向かって突出した係止爪１７がコネクタハウジング３に設けられた係止受け孔１０内に係止する。このため、係止爪１７は、外側突出片１４とコネクタハウジング３とを確実に固定できる。
【００５９】
このため、固定部としての係止爪１７と孔１６とがコネクタハウジング３に固定されて、パッキン本体１３が倒れようとすると、矢印Ｈ１，Ｈ２，Ｊ１，Ｊ２に沿うパッキン本体１３と外内側突出片１４，１５との間に伸びる方向または縮小する方向の弾性復元力が確実に発生する。したがって、パッキン本体１３がコネクタハウジング３と相手側のコネクタハウジング６との間で倒れることが防止され、パッキン１は、コネクタハウジング３と相手側のコネクタハウジング６との間を確実に防水できる。
【００６０】
第１の接触箇所１８がコネクタハウジング３の凹溝９の底面９ａに沿って形成され、第２の接触箇所１９が相手側のコネクタハウジング６の外表面６ａに向かうにしたがって徐々に先細に形成されている。このため、パッキン１は、第１の接触箇所１８がコネクタハウジング３の凹溝９の底面９ａに沿うとともに、第２の接触箇所１９が相手側のコネクタハウジング６の外表面６ａに潰される方向に弾性変形する。
【００６１】
このため、第１の接触箇所１８は、コネクタハウジング３の凹溝９の底面９ａとの間を確実に防水できる。また、第２の接触箇所１９は、相手側のコネクタハウジング６の外表面６ａとの間を確実に防水できる。このため、パッキン１は、コネクタハウジング３と相手側のコネクタハウジング６との間を確実に防水することができる。
【００６２】
なお、前述した実施形態では、外側突出片１４と内側突出片１５との双方を備えている。しかしながら、本発明では、外側突出片１４と内側突出片１５とのうち少なくとも一方を備えていれば良い。
【００６３】
また、前述した実施形態では、外側突出片１４に係止爪１７を設け、内側突出片１５に孔１６を設けている。しかしながら、本発明では、外側突出片１４に孔１６を設け、内側突出片１５に係止爪１７を設けても良い。
【００６４】
さらに、前述した実施形態では、第１の接触箇所１８を凹溝９の底面９ａに沿って略平坦に形成し、第２の接触箇所１９を相手側のコネクタハウジング６の外表面６ａに向かうにしたがって徐々に先細に形成している。しかしながら、本発明では、凹溝９の底面９ａに接触する第１の接触箇所１８を凹溝９の底面９ａ即ちコネクタハウジング３に向かうにしたがって徐々に先細に形成し、相手側のコネクタハウジング６の外面６ａに接触する第２の接触箇所１９を相手側のコネクタハウジング６の外表面６ａに沿って略平坦に形成しても良い。
【００６５】
また、前述した実施形態では、コネクタハウジング３，６間に設けられて、これらコネクタハウジング３，６間を水密に保つパッキン１について記載している。しかしながら、本発明のパッキン１は、コネクタハウジング３，６に限らず種々の物品間に設けられて、これらの物品間を水密に保っても良いことは勿論である。
【００６６】
なお、前述した実施形態は本発明の代表的な形態を示したに過ぎず、本発明は、実施形態に限定されるものではない。即ち、本発明の骨子を逸脱しない範囲で種々変形して実施することができる。
【００６７】
【発明の効果】
以上説明したように、請求項１に記載の本発明は、パッキン本体が倒れようとすると、パッキン本体と突出片との間に伸びる方向または縮小する方向の弾性復元力が発生する。これにより、固定部が第１の物品に固定されると、第２の物品などから押されて倒れようとしても、この第２の物品から押される方向とは逆向きの弾性復元力を生じる。したがって、第１の物品と第２の物品との間で倒れることが防止され、第１の物品と第２の物品との間を確実に防水できる。
【００６８】
また、幅が厚みより小さい（細い）ので、パッキン自体の小型化を図ることにくわえ、物品の小型化を図ることができる。
【００６９】
請求項２に記載の本発明は、パッキン本体が倒れようとすると、パッキン本体と内側突出片との間に伸びる方向または縮小する方向の弾性復元力が発生する。これにより、固定部が第１の物品に固定されると、第２の物品などから押されて倒れようとしても、この第２の物品から押される方向とは逆向きの弾性復元力を生じる。したがって、第１の物品と第２の物品との間で倒れることが防止され、第１の物品と第２の物品との間を確実に防水できる。
【００７０】
請求項３に記載の本発明は、パッキン本体が倒れようとすると、パッキン本体と外側突出片との間に伸びる方向または縮小する方向の弾性復元力が発生する。これにより、固定部が第１の物品に固定されると、第２の物品などから押されて倒れようとしても、この第２の物品から押される方向とは逆向きの弾性復元力を生じる。したがって、第１の物品と第２の物品との間で倒れることが防止され、第１の物品と第２の物品との間を確実に防水できる。
【００７１】
請求項４に記載の本発明は、突出片を貫通した孔内に第１の物品から突出した突出ピンが侵入して、突出片と第１の物品とを確実に固定できる。このため、固定部で確実に突出片を第１の物品に固定できるので、パッキン本体が倒れようとして、パッキン本体と外側突出片との間に伸びる方向または縮小する方向の弾性復元力を確実に発生させることができる。したがって、第１の物品と第２の物品との間で倒れることが防止され、第１の物品と第２の物品との間を確実に防水できる。
【００７２】
請求項５に記載の本発明は、突出片から第１の物品に向かって突出した係止爪が第１の物品に設けられた孔内に係止して、突出片と第１の物品とを確実に固定できる。このため、固定部で確実に突出片を第１の物品に固定できるので、パッキン本体が倒れようとして、パッキン本体と外側突出片との間に伸びる方向または縮小する方向の弾性復元力を確実に発生させることができる。したがって、第１の物品と第２の物品との間で倒れることが防止され、第１の物品と第２の物品との間を確実に防水できる。
【００７３】
請求項６に記載の本発明は、一方の接触箇所が一方の表面に沿うように弾性変形して、該一方の表面との間を確実に防水できる。また、他方の接触箇所が他方の表面に潰される方向に弾性変形して、該他方の表面との間を確実に防水できる。このため、パッキンは、第１の物品と第２の物品との間を確実に防水することができる。
【００７４】
請求項７に記載の本発明は、パッキン本体が相手側のコネクタハウジングにより押されて倒れようとすると、パッキン本体と突出片との間に伸びる方向または縮小する方向の弾性復元力が発生する。これにより、パッキンは、パッキンの固定部をコネクタハウジングに固定すると、相手側のコネクタハウジングなどから押されて倒れようとしても、この相手側のコネクタハウジングから押される方向とは逆向きの弾性復元力を生じる。したがって、パッキンは、コネクタハウジングと相手側のコネクタハウジングとの間で倒れることが防止されて、コネクタハウジングと相手側のコネクタハウジングとの間を確実に防水できる。
【００７５】
また、パッキン本体の幅が厚みより小さい（細い）ので、パッキン自体の小型化を図ることにくわえ、コネクタハウジングの小型化を図ることができる。
【図面の簡単な説明】
【図１】本発明の一実施形態にかかるパッキンを備えたコネクタの斜視図である。
【図２】図１に示されたコネクタの分解斜視図である。
【図３】図１中のＡ−Ｂ−Ｃ−Ｄ−Ｅ−Ｆ線に沿う断面図である。
【図４】図１中のＶＩ−ＶＩ線に沿う断面図である。
【図５】図３に示されたコネクタのコネクタハウジングが相手側のコネクタハウジングと嵌合した状態を示す断面図である。
【図６】図２中のＶＩ−ＶＩ線に沿う断面図である。
【図７】図２中のＶＩＩ−ＶＩＩ線に沿う断面図である。
【図８】図６中のＶＩＩＩ部を拡大して示す断面図である。
【図９】図７中のＩＸ部を拡大して示す断面図である。
【図１０】図３に示されたコネクタのコネクタハウジングに相手側のコネクタハウジングが嵌合する途中のパッキンなどの要部を拡大して示す断面図である。
【図１１】図４に示されたコネクタのコネクタハウジングに相手側のコネクタハウジングが嵌合する途中のパッキンなどの要部を拡大して示す断面図である。
【図１２】（ａ）は、従来のコネクタ間の防水に用いられるパッキンなどを示す断面図である。
（ｂ）は、図１２（ａ）に示されたパッキンがコネクタ間を防水する状態を示す断面図である。
【図１３】（ａ）は、従来のコネクタ間の防水に用いられる他のパッキンなどを示す断面図である。
（ｂ）は、図１３（ａ）に示されたパッキンがコネクタ間を防水する状態を示す断面図である。
【符号の説明】
１  パッキン
２  コネクタ
３  コネクタハウジング（第１の物品）
６  相手側のコネクタハウジング（第２の物品）
１０  係止受け孔
１１  突出ピン
１３  パッキン本体
１４  外側突出片（突出片）
１５  内側突出片（突出片）
１６  孔（固定部）
１７  係止爪（固定部）
１８  第１の接触箇所
１９  第２の接触箇所
Ｔ  厚み
Ｗ  幅
Ｐ１，Ｐ２  厚みを二分する位置
【図１】
2004327169.tif 000003
【図２】
2004327169.tif 000004
【図３】
2004327169.tif 000005
【図４】
2004327169.tif 000006
【図５】
2004327169.tif 000007
【図６】
2004327169.tif 000008
【図７】
2004327169.tif 000009
【図８】
2004327169.tif 000010
【図９】
2004327169.tif 000011
【図１０】
2004327169.tif 000012
【図１１】
2004327169.tif 000013
【図１２】
2004327169.tif 000014
【図１３】
2004327169.tif 000015